(57)【要約】  飲料容器等の容器（２０）用分配蓋体（１５）を提供し、それにより蓋体（１５）により担持する内容物（３０）を選択的に容器（２０）に分配する。容器には、蓋体と係合して容器（２０）を閉鎖又は密封する首部を有する。蓋体（１５）には、外側壁部（２２）を備える本体（２１）を有して、容器首部の外面と係合し、蓋体を容器と解放可能に固定する。蓋体（１５）には、分配される製品（３０）を含有するためのコンパートメント（１６）を設ける。コンパートメント（１６）を、円筒状の側壁（１７）、頂壁（１８）及び脆い底壁（１９）により形成する。切断刃（３１）を側壁（１７）及び底壁（１９）と相対的に可動にして、脆い底壁（１９）を破開し、選択的に内容物（３０）を容器（２０）に分配する。蓋体（１５）には、切断刃（３１）の偶発的な相対的動きを制限する手段を有する。 【選択図】  図５
2007505009.tif 000002
【特許請求の範囲】
【請求項１】
容器用分配蓋体であって、蓋体は該蓋体により担持する少なくとも１つの製品を容器に分配するために使用可能であり、容器には蓋体と係合する首部を有し、蓋体には：
容器首部の外面と係合するよう構成した外側壁部を有して、蓋体を容器と解放可能に固定する本体と、  
分配される少なくとも１つの製品を含有するためのコンパートメントであって、容器首部内で少なく部分的に嵌合するよう構成し、略円筒状の側壁、頂壁及び脆い底壁により画定する該コンパートメントと、
側壁及び底壁と相対的に可動で、コンパートメントの脆い底壁を破開し、選択的にコンパートメントの内容物を容器に分配する切断手段と、
切断手段の偶発的な相対的動きを制限する手段と、を含み、
前記蓋体及び分配される製品を共に組立てて後、蓋体を容器首部に付けること、
を特徴とする容器用分配蓋体。
【請求項２】
本体の外側壁部を略円筒状にし、該本体には更に容器首部内で係合する同軸の内側壁を含むこと、を特徴とする請求項１に記載の分配蓋体。  
【請求項３】
外側壁部には、蓋体を嵌合させる容器のねじ山付き首部と螺合するよう構成した雌ねじを設けること、を特徴とする請求項１又は２に記載の分配蓋体。
【請求項４】
内側壁は容器首部内に密接に係合し、コンパートメントは内側壁内に嵌合すること、を特徴とする請求項２に記載の分配蓋体。
【請求項５】
コンパートメントを本体から分離し、該本体と相互に連結させて、コンパートメントと本体との間のそれらの軸周りでの相対的回転を容易にすること、を特徴とする請求項１乃至４のいずれか１項に記載の分配蓋体。
【請求項６】
コンパートメントの上側端部を、蓋体本体の対応する係合手段と係合する係合手段を有するリム部を有して形成し、それによりコンパートメントを本体に組付け、本体と相対的に回転可能にすること、を特徴とする請求項１乃至５のいずれか１項に記載の分配蓋体。
【請求項７】
コンパートメントと本体とを共にスナップフィット可能にし、それによりコンパートメントを本体と相対的にその軸周りに回転可能にすること、を特徴とする請求項５又は６に記載の分配蓋体。
【請求項８】
コンパートメントの底壁を軸と垂直な平面とある角度を成して延在させること、を特徴とする請求項１乃至７のいずれか１項に記載の分配蓋体。
【請求項９】
前記切断手段には、本体の内側壁の下側縁部から概略放射状に内部に延在するフランジに担持する切断ナイフ含み、該フランジをコンパートメントの脆い底壁から軸方向に離隔し、該ナイフをフランジから脆い底壁に向けて概略軸方向に延設すること、を特徴とする請求項１乃至８のいずれか１項に記載の分配蓋体。
【請求項１０】
前記切断手段には、軸方向にコンパートメントの頂壁からコンパートメント側壁の内側で延在しており軸周りに可動な切断ナイフを含むこと、を特徴とする請求項１乃至８のいずれか１項に記載の分配蓋体。
【請求項１１】
ナイフを相対的に動かすと、脆い底壁がナイフと接触し、それによりナイフがコンパートメントから底壁を切断して破き開口させてコンパートメントの内容物を蓋体と嵌合する容器に分配すること、を特徴とする請求項９又は１０に記載の分配蓋体。
【請求項１２】
前記相対的な動きを、ナイフと底壁との間での相対的な軸方向の動きとすること、を特徴とする請求項１１に記載の分配蓋体。  
【請求項１３】
コンパートメントと本体を一体化し、それによりコンパートメントの円筒状側壁を本体の内側壁と成して、略円筒状バンドを側壁の外面と自由縁付近で係合させ、該バンドには前記切断手段を担持する概略放射状に内部に延在するフランジを有すること、を特徴とする請求項１乃至３のいずれか１項に記載の分配蓋体。
【請求項１４】
切断手段を、フランジから概略軸方向に頂壁に向けて延在する切断ナイフとすること、を特徴とする請求項１３に記載の分配蓋体。
【請求項１５】
切断ナイフをコンパートメントの前記側壁に形成したポケットに収容し、該切断ナイフをコンパートメントの軸周りに可動にしてポケットから解放し、それによりその後底壁を少なくとも部分的に容器から切断して、コンパートメントの製品を容器に移入可能にすること、を特徴とする請求項１４に記載の分配蓋体。
【請求項１６】
前記切断手段には、本体の内側壁の下側縁部から概略放射状に内部に延在するフランジに担持する切断ナイフを含み、フランジをコンパートメントの脆い底壁から軸方向に離隔し、ナイフを概略軸方向にフランジから頂壁に向かい延設し、切断ナイフをコンパートメントの前記側壁に形成したポケットに収容し、切断ナイフをコンパートメントの軸周りに可動にしてポケットから解放し、それによりその後底壁を少なくとも部分的に容器から切断してコンパートメントの製品を容器に移入可能にすること、を特徴とする請求項１乃至７のいずれか１項に記載の分配蓋体。
【請求項１７】
コンパートメントを軸方向に切断手段と相対的に可動にして、切断手段により脆い底壁を切断すること、を特徴とする請求項１乃至６及び１０のいずれか１項に記載の分配蓋体。
【請求項１８】
前記切断手段には、蓋体の壁と一体的に成形する切断ナイフを備え、該ナイフには互いに鋭角を成して延在する少なくとも２つの刃先を有すること、を特徴とする請求項１乃至１７のいずれか１項に記載の分配蓋体。
【請求項１９】
前記切断手段には、コンパートメントの頂壁から延在する内側壁の下側縁部に形成する刃先を含み、前記頂壁を底壁と相対的に軸方向に可動にして、刃先により底壁の少なくとも一部を切除して、コンパートメントの製品を容器に移入可能にすること、を特徴とする請求項５乃至８に記載の分配蓋体。
【請求項２０】
前記頂壁の中央部分を、蓋体本体と相対的に弾性的に軸方向に可動にし、内側壁を前記中央部分に連結させてそれと共に可動にし、それにより脆い底壁を前記弾性的な軸方向の動きにより切断すること、を特徴とする請求項１９に記載の分配蓋体。
【請求項２１】
本体には、外側壁の下側縁部に、不正開封防止証拠封切りバンドを含み、蓋体使用前の蓋体に関する不正開封を示すこと、を特徴とする請求項１乃至２０のいずれか１項に記載の分配蓋体。
【請求項２２】
本体には、外側壁部の上側縁部に、コンパートメントのリム部に形成した開口部内で係合するよう構成したタブを含み、該タブは組立て時に確実にコンパートメントと本体とを適正に整合させると共に、切断手段の不用意な相対的な動きを妨害するよう働くこと、を特徴とする請求項１乃至１０のいずれか１項に記載の分配蓋体。
【請求項２３】
内容物分配弁をコンパートメントの頂壁と一体的に形成して、コンパートメントの脆い底壁を切断してコンパートメントの製品を容器に移入した後に、容器の内容物を分配し易くすること、を特徴とする請求項１乃至２２のいずれか１項に記載の分配蓋体。
【請求項２４】
コンパートメントを１つ又は複数の中仕切りにより複数の部分に分割し、複数の異なる製品を個別に収容して選択的に容器に分配すること、を特徴とする請求項１乃至２３のいずれか１項に記載の分配蓋体。
【請求項２５】
少なくとも１つの製品を容器に分配する方法であって、該方法には：
分配する製品を含有するコンパートメントを蓋体本体と組立てるステップと、
組立てた蓋体をその中に製品を分配する容器の首部と係合させるステップと、
組立てた蓋体の底壁付近に切断ナイフを設けるステップと、
該ナイフを底壁と相対的に回転させてナイフを底壁に切込ませ、それによりコンパートメントの内容物を容器に放出するステップと、
を含むことを特徴とする方法。
【請求項２６】
少なくとも１つの製品を容器に分配する方法であって、該方法には：
分配する製品を含有するコンパートメントを蓋体本体と組立てるステップと、
組立てた蓋体をその中に製品を分配する容器の首部と係合させるステップと、
組立てた蓋体の底壁付近に切断ナイフを設けるステップと、
該ナイフを底壁と相対的に軸方向に動かしてナイフを底壁に切込ませ、それによりコンパートメントの内容物を容器に放出するステップと、
を含むことを特徴とする方法。
【請求項２７】
実質的には添付図を参照して先に記載したような分配蓋体。
【請求項２８】
実質的には添付図を参照して先に記載したようなステップを含む、少なくとも１つの製品を容器に分配する方法。
【発明の詳細な説明】
【技術分野】
【０００１】
本発明は、容器用分配蓋体に関し、特には、容器と係合し、液体、固体、粉末又は粒状材料等の材料の容器への分配を容易にするよう構成した分配蓋体に関する。
【背景技術】
【０００２】
本発明を、飲料容器等の液体容器用キャップに特に関連して、記述する。しかし、当然のことながら本発明の原則は多くの異なる種類の容器及び蓋体に適用可能であり、２種類以上の材料を使用時まで分離しておき、その後それら材料の内少なくとも１種類の材料を別の材料に分配、放出又は、混入できる。このようにして、本発明を、例えば、調合薬を液体、粉末、錠剤又は顆粒状でその調合薬を摂取するのに適切な媒体に分配する；着色顔料を、液体又は粉末状又はカプセルで、ベースとなる塗料担体に分配する；化粧用着色料を担体に混入する；触媒及び硬化剤、特に有毒の又は触れると危険な可能性がある化学物質を含む、化学物質を活性成分に混入する；食品調味料、着色料、甘味料又はその他の食品を適切な飲料媒体等に分配する等に適用できる。そのため、本発明は、１つの材料又は物質を別の材料又は物質に選択的に分配又は混入する必要がある又はそうすることが望ましい場合に多種類の材料を混合するのに有用である。
【０００３】
多数の提案がこれまでに、２製品を分離したまま使用時まで維持し、使用時に容器中で１製品を他製品と混合するよう構成する容器に関してなされている。この種の容器は蓋体を有して提案されており、蓋体を使用して製品を分離したり、１製品の他製品への導入を容易にしたりしている。しかしながら、これまで提案された容器及び蓋体は比較的複雑である。例えば、ある提案では、蓋体を、コンパートメントを備えて１製品を保持し、該コンパートメントを容器の首部で係合するように構成する第１部品、第１部品と相対的に動き、コンパートメント底壁を開放する手段を有して第１部品を容器に放出する第２部品、及びコンパートメント及び第２部品上で係合して容器上で蓋体を密封する密封キャップの、３部品から形成している。
【０００４】
かかる構造体は比較的複雑で製造するにも高価であり、３つの個別部品の組立てだけでなく、組立て中にコンパートメントに製品を導入する必要があり、コンパートメントの製品を容器に放出するために必ず多くの個別の動作が伴う。     
【０００５】
英国特許出願公開第ＧＢ２０１２７１４号で概説された別の提案では、容器として、容器を２つのコンパートメントに分割する内壁を有して開示している。上側コンパートメントには穴開け装置を含有し、該穴開け装置は頂壁への加圧により可動して、穴開け装置の先端が分割壁に穴を開けるようになっている。しかしながら、この構造体には可動な頂壁が必要で、そのため偶発的な作動が起き易い。
【０００６】
そのため、これまでに提案された分配蓋体の短所の少なくとも幾つかを改良した容器用分配蓋体を提供するのが望ましい。
【０００７】
また、材料又は物質を液体、粉末、固体、粒状又は他の形状で迅速に簡単に蓋体を取付けた容器内の製品に分配できる容器用分配蓋体を提供するのが望ましい。
【０００８】
また、比較的容易に製作、組立て及び使用できる容器用分配蓋体を提供するのが望ましい。
【０００９】
また、飲料容器、塗料容器、化粧料容器等を含む多様な容器種類に対する分配蓋体を提供するのが望ましい。
【００１０】
また、多様な異なる製品を、蓋体を装着した容器に分配するよう構成してもよい分配蓋体を提供するのが望ましい。
【発明の開示】
【００１１】
本発明の一態様によれば、分配蓋体を提供して、少なくとも１つの製品を容器に分配する。該蓋体には密封状態で容器の首部と係合するよう構成した容器蓋体本体を含むが、該本体には、蓋体を容器首部に固定するための固定手段と、分配される少なくとも１つの製品を含有するためのコンパートメントで、容器首部内に嵌合するよう構成し、側壁、頂壁及び脆い底壁により画定する該コンパートメントと、側壁及び底壁と相対的に可動で、コンパートメントの脆い底壁を破開し、選択的にコンパートメントの内容物を容器に分配する切断手段と、を有する。
【００１２】
本発明の一形態では、蓋体本体には円筒状外側壁及び同軸の内側壁を含む。該外側壁には、蓋体を嵌合させる容器のねじ山付首部に螺合するよう構成した雌ねじを設ける。該内側壁は容器首部内に係合し、コンパートメントは内側壁内に嵌合する。コンパートメントの上側端部を放射状に外側に延在するフランジを有して形成し、該フランジには逆向きに形成した肩部を有して、蓋体本体の対応する肩部と係合する。このように、蓋体の２部品は共にスナップフィットでき、それによりコンパートメントは本体と相対的にその軸周りに回転可能となる。この実施例では、本体の内側壁に切断ナイフ刃を担持し、該刃を内向きに及び上方向でコンパートメントの脆い底壁に向かい回動させる。コンパートメントの底壁を、第１組立て位置で、底壁がナイフと接触しないように、軸と垂直な平面とある角度を成して延在させる。しかしながら、コンパートメントを相対的に回転させる際には、脆い底壁をナイフと接触させて、該ナイフでコンパートメントから壁を切断し破り、コンパートメントの内容物を、蓋体を嵌合する容器に分配可能にする。
【００１３】
本発明の別の実施例では、コンパートメントと蓋体本体を一体化し、それらを円筒状バンドと係合させるが、該バンドはコンパートメントの壁に対して嵌合する。該バンドには上述した方法で動作する切断ナイフを担持する。
【００１４】
好適には、容器蓋体本体に、外側壁の下側端部に不正開封防止証拠封切りバンドを含み、蓋体使用前の蓋体に関する不正開封を示す。
【００１５】
本発明の別の態様によれば、容器に製品を分配するための分配装置を提供するが、該装置には製品を含有する密封したコンパートメントを有し、該コンパートメントには略円筒状の側壁、脆い底壁及び頂壁を有し、該コンパートメントを容器の首部内で嵌合するよう構成しており、該装置には更に外側壁を有して容器首部の外面と係合させ、該装置を容器に固定するための固定手段及び脆い底壁と相対的に回転するよう構成する切断手段を含み、該切断手段及び／又は脆い底壁を、その相対的動きにより切断手段がコンパートメントの脆い底壁を破開して、コンパートメントの内容物を容器に選択的に分配するよう配置する。
【００１６】
切断手段を、コンパートメントの側壁と同軸上にあるが、コンパートメントと相対的に回転可能な独立した円筒形バンドから延設してもよい。或いは、コンパートメントと外側壁を独立した完全体とし、切断手段をコンパートメントと容器首部の内面との間に位置する中間壁から延在させてもよい。  
【００１７】
本発明の更なる態様によれば、少なくとも１つの製品を容器に分配する方法を提供するが、該方法には、分配される製品を含有するコンパートメントを蓋体本体と組立てるステップと、組立てた蓋体を内容物が分配される容器の首部と係合するステップと、切断ナイフを組立てた蓋体の底壁付近に設けるステップと、及びナイフを底壁と相対的に回転させて、ナイフで底壁を切込み、それによりコンパートメントの内容物を容器に放出するステップと、を含む。
【００１８】
本発明の更なる態様によれば、分配蓋体で使用するための切断ナイフを提供するが、該ナイフを蓋体の壁と一体的に成形し、該ナイフには互いに鋭角を成して延在する少なくとも２つの刃先を有する。
【００１９】
（発明を実施するための最良の形態） 
図を参照して、図１及び図２では本発明の第１実施例について説明するが、該実施例では、分配蓋体１５には、円筒状側壁１７、頂壁１８及び脆い底壁１９により画定されるコンパートメント１６を有する。
【００２０】
側壁１７の高さはコンパートメント１６の周囲周りで可変であり、それにより底壁１９は円筒状側壁１７の軸と垂直な平面とある角度を成して延在する。
【００２１】
本実施例の蓋体には、外側壁２２及び中間壁２３を備える蓋体本体２１を含む。外側壁２２には、蓋体を嵌合させる容器２０の首部上の対応するねじ山と係合する雌ねじ２４を設ける。図示のように容器２０の首部に嵌合させると、中間壁２３は容器２０首部の内面と密接に係合する。  
【００２２】
コンパートメント１６の頂壁１８には、外方向及び下方向に延在するリム部２６を有しており、内部へ向かう肩部２７を伴い、中間壁２３の上側延在部にある対応する肩部２７ａと係合する。このように、コンパートメント１６と蓋体本体２１を、肩部２７と肩部２７ａを其々相互に係合することにより、嵌め込んで係合させる。しかしながら、この係合は十分に遊離させて、コンパートメント１６を蓋体本体２１と相対的に蓋体１５の軸周りに回転可能にしておく。
【００２３】
中間壁２３の下側縁部には内側に延在するフランジ２８を有する。フランジ２８周りの一箇所で、切断刃３１をフランジ２８の内側縁部から上方向にコンパートメント１６の頂壁１８に向けて延在させる。刃３１を中間壁２３から、側壁１７厚さ分より若干遠く離隔する。
【００２４】
コンパートメント１６を蓋体本体２１と組立てる際、刃３１を側壁１７が最短の長さとなる部分に配置し、それにより刃３１が脆い底壁１９を貫通しないようにする。
【００２５】
蓋体１５を容器２０の首部と係合させる際には、コンパートメント１６を容器２０首部内に位置させる。不正開封防止証拠封切りバンド３２を外側壁２２の下側縁部から延設して、容器２０と係合後の蓋体１５に関する不正開封の証拠を提供する。更なる不正開封証拠タブ３２ａを外側壁２２の上側縁部と一体的に形成し、該タブ３２ａを図２６及び図２７を参照して記述及び図示するように、リム部２６の協働する間隙部内で係合するよう構成する。
【００２６】
蓋体１５の使用時に、コンパートメント１６内に密封した製品を分配したい場合、タブ３２ａを除去後、好適にはローレット、リブ等を設けたリム部２６を、蓋体本体２１と相対的に回転させ、それにより角度を付けた底壁１９を刃３１の上側縁部と係合させる。刃３１は底壁１９に切込み、底壁を引続き回転させて、それにより底壁１９を開放しコンパートメント１６の内容物３０を容器２０に落下可能にする。肩部等を設けて、相対的回転を３６０゜未満に留め、それにより底壁を若干部分側壁１７に繋げたまま残してもよい。  
【００２７】
コンパートメント１６の内容物３０を、上記で言及したものの何れか又は容器２０内で別の製品と混合される任意の製品としてもよい。
【００２８】
脆い底壁１９を、側壁１７の下側縁部に付着させたアルミ箔で形成してもよい。或いは、脆い底壁１９を側壁１７と同材料で形成してもよく、又はコンパートメント１６内に内容物３０を密封するのに適した任意の他の材料、例えば側壁１７の下側縁部に付着させた又は溶接した合成プラスチック材料製としてもよい。
【００２９】
頂壁１８にアンダカット・リップ部１０を形成して、ラベル、標識、価格ディスク等を受容及び保持できる。
【００３０】
図３及び図４を参照すると、この実施例は、コンパートメント１６を外側壁２２と一体に形成する以外は、図１及び図２に図示した実施例と同様である。
【００３１】
この実施例では、円筒状バンド３４をコンパートメント側壁１７の外面上とのスナップフィットとし、該側壁を適切な溝３５を有して形成する。円筒状バンド３４には内側に延在するフランジ２８及び切断刃３１を担持する。
【００３２】
本実施例の蓋体を使用する際には、円筒状バンドを容器２０首部の内面と摩擦係合させ、それによりバンドをコンパートメント１６の回転動作中に回転に対してバンドを保持する。前述したように、外側壁２２を、ねじ山を有して形成してもよく、又は外側壁２２に蓋体を容器２０の首部とスナップフィット可能にするリブ、リッジ部等を設けてもよい。
【００３３】
ねじ山を用いる場合、内部溝及び停止肩部を使用し、それによりコンパートメント１６を円筒状バンド３４と相対的に一方向のみに回転可能にし、該肩部により反対方向への回転を防止してもよい。その結果、これによりキャップを容器２０首部に、相対的回転を発生させずに、ねじで取付けできるが、逆方向の相対的回転ではコンパートメント１６を刃３１と相対的に回転させ、それにより刃が脆い底壁１９に切込み、コンパートメントの内容物３０を放出して容器２０に移入する。
【００３４】
図５及び図６を参照すると、この実施例は、独立したコンパートメント１６及び独立した蓋体本体２１を使用し、それらの部分を相互に係合させる肩部２７により共に嵌合させる点で図１及び図２の実施例と同様である。
【００３５】
この実施例では、底壁１９を蓋体１５の軸と垂直な平面に延設する。切断刃３１を、側壁１７の一側面に形成した保護ポケット３６内に含める。コンパートメント１６と蓋体本体２１との間の相対的回転により、切断刃３１は保護ポケット３６外に飛び出し、それにより刃が脆い底壁１９に穴を空け、該壁を切開して、コンパートメント１６の内容物３０を容器２０に放出する。
【００３６】
切断ナイフ３１について図５及び図６では側面及び正面両図で図示したが、該切断ナイフには互いから離れて角度を成す２つの刃先３７を有しており、そうすることで確実に該ナイフがコンパートメント１６と蓋体本体２１の相対的回転方向に関係なく切断可能になっている。
【００３７】
図７及び図８を参照すると、この実施例は図３及び図４の実施例と同様であるが、図５及び図６の底壁及びナイフ構造を取入れている。
【００３８】
この実施例及び前の実施例の切断刃３１には、第１刃先と略並行な第３の刃先３８を有する。使用時に、コンパートメント１６を円筒状バンド３４と相対的に、図８で説明するように右に向けて、切断刃３１を移動させる方向に回転させると、この切断動作により切断した底壁１９を下方向に剥離もし、それによりコンパートメント１６にある内容物３０を、蓋体１５を嵌合した容器２０へ放出するのが容易になることが、見出されている。
【００３９】
図９及び図１０を参照すると、変形した蓋体の構造を説明しており、コンパートメント１６を、容器２０首部内に密接に嵌合する側壁１７、及び相互に係合する肩部２７により側壁１７に取付けられる独立した頂壁１８により、画定している。この実施例では、切断刃３１を下方向に延在するキャリア３９の端部に配設する。コンパートメント１６をこのように、共にスナップフィットさせる独立した部品から構成しており、特に雰囲気により影響を受けない製品に適している。
【００４０】
肩部４１を側壁１７の上側縁部に、その部分で側壁１７を最短にして設け、刃キャリア３９の相対的回転を制限し、それにより底壁１９を完全に側壁１７とのその係合部から切断しないようにする。
【００４１】
全ての他の実施例と同様に、外側壁２２には内ねじ山又はスナップフィットするリブ又はリッジ部等    を設けて、蓋体を嵌合させる容器２０の対応するよう成形した首部と係合させてもよい。
【００４２】
図１１及び図１２を参照すると、この実施例は図９及び図１０の実施例と、外側壁２２を頂壁１８と一体に形成し、コンパートメント１６の側壁１７に、相互に係合する肩部２７を使用して、スナップフィットさせること以外は、同様である。
【００４３】
側壁１７を、容器２０首部の内面と密接に係合するその外面に環状拡張部４０を有して形成する。環状拡張部４０は側壁１７及び底壁１９を、外側壁２２及びそれと一体的な刃キャリア３９を回転させる場合、容器２０首部との相対的な回転に対して保持し、それにより刃３１により底壁１９を切開可能になる。
【００４４】
図１３乃至図１５を参照すると、この実施例は図５及び図６の実施例と同様である。しかしながら、この実施例では、頂壁１８のリム部２６には、該頂壁の外側縁部から延設して外側壁２２の上側縁部と係合する不正開封防止証拠バンド４２を設ける。相互に係合する肩部２７及び２７ａを分離し、フランジ２８により担持する切断刃３１を脆い底壁１９から離隔させる。この実施例では、切断刃３１に関する保護ポケットはない。
【００４５】
コンパートメント１６の内容物３０を、この実施例では、不正開封防止証拠バンド４２が取外されて、それによりコンパートメント１６を蓋体本体２１と、コンパートメント１６が相対的に軸に沿って下方向に移動することで、スナップ係合可能にして、開放する。こうした移動により、切断刃３１が脆い底壁１９に切込み、そこでコンパートメント１６と蓋体本体２１其々を相対的に回転させると切断刃が底壁１９の縁部周りを切り、底壁１９を破開して、コンパートメント１６の内容物３０を開放する。
【００４６】
肩部４１は、切断刃３１が全３６０゜切開すると回転動作を停止させるよう働き、それにより底壁１９と側壁１７との間の連結を維持し、そうすることで切断された底壁が容器２０内へ落下するのを阻止する。
【００４７】
図１６及び図１７を参照すると、この実施例の分配蓋体は、特に、飲料用ボトル等、ねじ山付き首部を有する容器上で使用するよう設計されている。蓋体には、蓋体本体２１と係合するコンパートメント１６を備える。コンパートメントには頂壁１８及び側壁１７を有し、一方で本体には外側壁２２、中間壁２３及び中間壁２３の下側縁部から延在する脆い膜で形成された底壁１９を有する。頂壁１８の周囲縁部に溝４３を形成して、コンパートメント１６及び本体２１が分配位置に移動すると、蓋体本体２１から延在するリブ４４を受容する。切断刃３１を下方向に側壁１７から延設し、それによりコンパートメント１６と蓋体本体２１が相対的に軸に沿って下方向に移動及び回転移動する際に、切断刃３１が底壁１９を形成する膜に穴を開けて切開し、それによりコンパートメントの内容物３０を容器２０内に分配可能にする。
【００４８】
所望であれば、溝付外面等の、コンパートメントと蓋体本体を相対的に回転させる手段を、頂壁１８の周囲及び外側壁２２に設けて、底壁又は膜１９の切断又は除去を容易にしてもよい。
【００４９】
図１８及び図１９を参照すると、この実施例は図１６及び図１７の実施例と、側壁１７をその下側縁部を、コンパートメント１６と蓋体本体２１との間の相対的な軸方向の移動が下方向の動きで行なわれる際に、底壁又は膜１９と係合して切開する鋸歯状カッタ４５として形成する以外は、同様である。
【００５０】
側壁１７の一部５０をヒンジ５０ａ付近で除去するが、その部分により、カッタ４５によって底壁１９の一定の区域が切断されず、その結果切断した壁部分がヒンジ５０ａの周りで下に折れて、内容物３０が容器２０に落下可能になる。
【００５１】
図２０及び図２１を参照すると、この実施例は図１及び図２の実施例と、頂壁を開放弁４６を有して形成し、該開放弁により容器２０の内容物を、コンパートメント１６の内容物３０と混合させた後に、弁４６を経由して容器２０から引出すこと以外は、同様である。
【００５２】
開放弁４６はそれ自体既知であり、詳細に説明しないが、キャップ４８又はシュリンクラップ又は他の密封手段により開放弁４６を密閉状態に保ち、弁がコンパートメント１６と蓋体本体２１の相対的な回転前に作動して、コンパートメントの内容物３０を容器２０に開放する可能性を最小限にする。しかしながら、一旦内容物３０を混合してしまい、キャップ、シュリンクラップ又は他の密閉手段を除去すると、開放弁４６を使用して飲料又は他の内容物を容器２０から取出せる。開放弁４６には流路４６ａを備え、該流路により、開放弁の外側部分を内部に、頂壁１８と相対的に移動させて弁壁４６ｂを切開すると、コンパートメントが大気に開口して、容器２０内容物が引出可能になる。
【００５３】
図２２及び図２３を参照すると、図示した実施例は図１８及び図１９の実施例と幾つかの点で同様である。この実施例では、しかしながら、コンパートメント１６を中間壁２３により形成し、該中間壁は外側壁２２、頂壁１８及び底壁又は膜１９と一体化している。それにより密封したコンパートメント１６を形成しており、該コンパートメント内には、その下側縁部を切断ナイフとして造形した側壁１７、及びそれにより側壁１７を軸方向に移動させてもよい内側頂壁１８ａを備える壁切断構造体を配置している。
【００５４】
図２３で示すように、蓋体１５の頂壁１８を、該頂壁の周囲部をヒンジとして形成する等により可撓又は変形可能とし、そうして頂壁の中央部を軸方向に下方に移動可能にし、それにより切断ナイフで底壁１９を切開させる。
【００５５】
好適には、内側頂壁１８ａの中心部分を、例えば協働するリブと溝でスナップフィットを形成することにより、又は接着剤又は他の手段により、外側頂壁１８に連結する。
【００５６】
図１８及び図１９で示した実施例と同様に、側壁１７の一部５０をヒンジ５０ａ付近で除去し、その部分により、カッタによって底壁１９の一定の区域が切断されず、その結果切断した壁部分がヒンジ５０ａ周りで下に折れて、内容物３０が容器２０に落下可能になる。刃先も図１８及び図１９の鋸歯状カッタと同様にできる。
【００５７】
図２４及び図２５では図２２及び図２３の実施例を変形した形態を説明しており、図中内側頂壁１８ａは省略し、頂壁１８を、図２０及び図２１に関して記述したのと同様に動作する開放弁４６を有して形成する。この実施例では、キャップ４８により不用意な弁及び切断構造の作動を防止する。キャップ４８を取外す際に、弁４６が容器２０に向かい移動して、まず弁のハウジングと一体化している頂壁１８を、中間壁２３に関して下方向に移動させ、それにより内側頂壁１８ａ及び関連する側壁１７を底壁１９と相対的に移動させる。側壁１７の下側縁部にある切断ナイフ刃先で底壁１９を切開することによって、コンパートメント１６の内容物３０を容器２０に落下させて、容器の内容物と混合できる。
【００５８】
弁４６ステムの更なる下方向への移動により、弁ハウジングの底部を閉鎖する脆い膜１９ａを切断し又は破り、それにより混合した容器内容物を流路４６ａ及び弁４６の出口を経由して分配可能になる。刃先を鋸歯状カッタと同様にすることもできる。
【００５９】
図２６では、図１及び図２、図５及び図６、又は図９及び図１０の実施例中の何れか１つの蓋体としてもよい蓋体１５を説明している。リム部２６は放射状に頂壁１８の外側に及び下方向に延在し、開口部３３（図２７）を有して、外側壁２２の上側縁部と一体化した不正開封証拠タブ３２ａを受容し、それによりリム部２６と蓋体本体２１との間での不用意な相対的回転を防止する。
【００６０】
当然ながら、コンパートメント１６を蓋体本体２１と組立てる場合、部品を適正に整合し、それにより切断刃３１を、意図した使用前に該刃が底壁１９に切込まない位置に適切に位置決めすることが重要である。それに関して不正開封証拠タブ３２ａは、部品を組立てる際に位置合せ点として確実に適正に整合させる目的も果たす。
【００６１】
外側壁２２の下側縁部を不正開封証拠バンド３２と一体的に形成し、該バンドを容器首部上に形成した肩部３２ｂの裏に、蓋体１５を飲料容器２０等の首部で係合する際に、嵌め込んで蓋体が容器２０から、不正開封証拠バンド３２を除去することなく、取外されることを防止する。
【００６２】
図２７では、図２６の蓋体で使用したようなコンパートメント１６の一形態を説明している。図１乃至図２５に関して記述及び説明したコンパートメント１６には、容器２０に分配する単独の製品３０を含有してもよく、該容器には、一例として、飲料等を入れてもよい。しかしながら、コンパートメント１６を２つ以上の部分に分割壁４７により分割して、それにより２種類以上の製品を分配蓋体１５から分配してもよい。従って、図２８に示すような、対を成すコンパートメント１６の内容物３０を、交替の製品として分配又は順番に両製品を分配してもよい。
【００６３】
図２９を参照すると、コンパートメントを３つ以上の小室に壁又は仕切り４７により分割してもよい。これにより、３種類の物質をコンパートメント１６と蓋体本体２１を相対的回転させることにより分配できるが、そのためには切断ナイフで脆い底壁１９を、仕切り又は分割壁４７に到達するまで切開し、該仕切り又は分割壁の位置で切断ナイフは、回転が継続中は、その後仕切り壁を飛越えて次のコンパートメントに入るようにする。コンパートメント１６の頂壁１８には適切に標識して、その内容物３０を表し、それによりこれらの内容物３０を分配する際に選択できるようにしてもよい。例えば、１コンパートメントに、コーヒー等の飲料混合物を含有する一方で、別のコンパートメントには砂糖粒を含有し、第３のコンパートメントにはクリームを含有してもよい。ユーザはこのように所望の混合物を選択できる。
【００６４】
図３０を参照すると、本発明の機能において使用する切断刃３１の一実施例を説明している。切断刃３１を好適には、コンパートメント１６及び／又は蓋体本体２１の構造で使用したのと同じ材料を成形して形成する。切断刃３１は蓋体１５の各壁部分と一体に成形する。切断刃３１は具体的には脆い底壁１９を最初に切開するよう設計し、該底壁を合成プラスチック材料、アルミ箔又は任意の他の脆い底壁１９として使用するのに適当な材料で形成した膜としてもよい。刃には、各辺に、第１刃先５１及び第２刃先５２を含む。使用時に、底壁１９を刃３１と相対的に矢印“Ａ”方向に移動させながら、第１刃先５１で底壁１９に切込む。壁の相対位置が変化すると、底壁１９と回転軸と垂直な平面との間の角度により、底壁１９は第２刃先５２に接触するまで刃先５１と相対的に軸方向に移動する。連続して相対的に移動させた結果、膜材料を切断刃３１により形成した開口部から引き剥がし、それにより底壁１９をその各コンパートメント壁との係合部から剥取り、そうすることでコンパートメントの内容物３０が、底壁１９の妨害無しに、容器２０に落下可能になる。本発明の実施例を、底壁１９を、容器２０に落下させないように、各コンパートメント壁と底壁１９との付着を完全に除去しないよう設計する。従って、停止体又は別の手段を設けて底壁１９が完全に除去され容器２０に落下する可能性を軽減してもよい。
【００６５】
切断刃３１に図３０で説明したような対向する刃先を形成することにより、一方側の刃を相対的回転方向に従い使用可能になるため、相対的回転方向は問題ではなくなる。
【００６６】
図３１では切断刃３１に２脚部を備え、その其々に３つの刃先５１、５２及び５３を有する別の実施例を説明している。こうした刃は、相対的回転の方向を逆方向にした場合、刃先５３が底壁１９の材料を切断もできること以外は、図３０の刃と同様に機能する。
【図面の簡単な説明】
【００６７】
本発明をより理解し易くする為に、本発明の実施例を次に添付図を参照して記述する。
【図１】本発明の第１実施例の横断立面図である。
【図２】図１に対して９０゜で捉えた本発明の第１実施例の横断立面図である。
【図３】本発明の第２実施例の横断立面図である。
【図４】図３に対して９０゜で捉えた本発明の第２実施例の横断立面図である。
【図５】本発明の第３実施例の横断立面図である。
【図６】図５に対して９０゜で捉えた本発明の第３実施例の横断立面図である。
【図７】本発明の第４実施例の横断立面図である。
【図８】図７に対して９０゜で捉えた本発明の第４実施例の横断立面図である。
【図９】本発明の第５実施例の横断立面図である。
【図１０】図９に対して９０゜で捉えた本発明の第５実施例の横断立面図である。
【図１１】本発明の第６実施例の横断立面図である。
【図１２】図１１に対して９０゜で捉えた本発明の第６実施例の横断立面図である。
【図１３】本発明の第７実施例の横断立面図である。
【図１４】図１３に対して９０゜で捉えた本発明の第７実施例の横断立面図である。
【図１５】図１４と同様な本発明の第７実施例の横断立面図で、初期作動後の蓋体を示した図である。
【図１６】本発明の第８実施例の横断立面図である。
【図１７】図１６に対して９０゜で捉えた本発明の第８実施例の横断立面図である。
【図１８】本発明の第９実施例の横断立面図である。
【図１９】図１８に対して９０゜で捉えた本発明の第９実施例の横断立面図である。
【図２０】本発明の第１０実施例の横断立面図である。
【図２１】図２０に対して９０゜で捉えた本発明の第１０実施例の横断立面図で、蓋体の初期作動を示した図である。
【図２２】本発明の第１１実施例の横断立面図である。
【図２３】図１に対して９０゜で捉えた本発明の第１１実施例の横断立面図で、蓋体の初期作動を示した図である。
【図２４】本発明の第１２実施例の横断立面図である。
【図２５】図２４に対して９０゜で捉えた本発明の第１２実施例の横断立面図で、蓋体の初期作動を示した図である。
【図２６】本発明の実施例による蓋体の形態の斜視図である。
【図２７】本発明の実施例による、蓋体に関するコンパートメントを、上下逆さにして示した斜視図である。
【図２８】本発明の実施例による、蓋体に関する別のコンパートメントを、上下逆さにして示した斜視図である。
【図２９】本発明の実施例による、蓋体に関する更なる形態のコンパートメントを、上下逆さにして示した斜視図である。
【図３０】本発明による切断ナイフの一実施例の拡大立面図である。
【図３１】本発明の幾つかの実施例による切断ナイフの更なる形態の斜視図である。
【符号の説明】
【００６８】
１０            アンダカット・リップ部
１５            分配蓋体
１６            コンパートメント
１７            側壁
１８            頂壁
１９            底壁
２０            容器
２１            蓋体本体
２２            外側壁
２３            中間壁
２４            雌ねじ
２６            リム部
２７、４１        肩部
２８            フランジ
３０            内容物
３１            切断刃
３２            不正開封防止証拠封切りバンド
３３            開口部
３４            円筒状バンド
３５、４３        溝
３６            保護ポケット
３７、３８、５１、５２、５３            刃先
３９            刃キャリア
４０            環状拡張部
４２            不正開封防止証拠バンド
４５            鋸歯状カッタ
４６            開放弁
４７            仕切り
４８            キャップ
【図１】
2007505009.tif 000003
【図２】
2007505009.tif 000004
【図３】
2007505009.tif 000005
【図４】
2007505009.tif 000006
【図５】
2007505009.tif 000007
【図６】
2007505009.tif 000008
【図７】
2007505009.tif 000009
【図８】
2007505009.tif 000010
【図９】
2007505009.tif 000011
【図１０】
2007505009.tif 000012
【図１１】
2007505009.tif 000013
【図１２】
2007505009.tif 000014
【図１３】
2007505009.tif 000015
【図１４】
2007505009.tif 000016
【図１５】
2007505009.tif 000017
【図１６】
2007505009.tif 000018
【図１７】
2007505009.tif 000019
【図１８】
2007505009.tif 000020
【図１９】
2007505009.tif 000021
【図２０】
2007505009.tif 000022
【図２１】
2007505009.tif 000023
【図２２】
2007505009.tif 000024
【図２３】
2007505009.tif 000025
【図２４】
2007505009.tif 000026
【図２５】
2007505009.tif 000027
【図２６】
2007505009.tif 000028
【図２７】
2007505009.tif 000029
【図２８】
2007505009.tif 000030
【図２９】
2007505009.tif 000031
【図３０】
2007505009.tif 000032
【図３１】
2007505009.tif 000033
【国際調査報告】
2007505009.tif 000034
2007505009.tif 000035
2007505009.tif 000036